(57)【要約】【課題】貼付のための特別なスペースを必要とせず、貼付作業の時間や手間を削減し得る、ＩＣタグ等の無線通信デバイスを備えた表示装置および電子機器を提供する。【解決手段】表示部８および表示部駆動用配線９、１０が設けられた少なくとも１枚の基板と、通信用集積回路部１５とアンテナ１６とを有する無線通信デバイス１４とを備えた表示装置であって、アンテナ１６の少なくとも一部が、基板上に形成されるとともに、表示部８を構成する導電体もしくは表示部駆動用配線９、１０を構成する導電体と同層の導電体により構成されていることを特徴とする。【選択図】図１
2006201800.tif 000002
【特許請求の範囲】
【請求項１】
表示部および表示部駆動用配線が設けられた少なくとも１枚の基板と、通信用集積回路部とアンテナとを有する無線通信デバイスとを備えた表示装置であって、
前記アンテナの少なくとも一部が、前記基板上に形成されるとともに、前記表示部を構成する導電体もしくは前記表示部駆動用配線を構成する導電体と同層、同一材料、同一工程で形成された導電体により構成され、
前記通信用集積回路部が前記基板上に実装され、前記通信用集積回路部と前記アンテナとが、前記表示部を構成する導電体もしくは前記表示部駆動用配線を構成する導電体と同層の中継導電体を介して電気的に接続されていることを特徴とする表示装置。
【請求項２】
前記アンテナが、前記表示部を構成するゲート電極と同層で形成されるとともに、前記中継導電体が、前記表示部を構成する画素電極と同層で形成されることを特徴とする請求項１に記載の表示装置。
【請求項３】
前記アンテナの上面に前記表示部を構成する層間絶縁膜およびゲート絶縁膜が形成されるとともに前記層間絶縁膜および前記ゲート絶縁膜には前記アンテナの上面に達するコンタクトホールが形成され、前記中継導電体が前記コンタクトホールの内面を覆うとともに前記層間絶縁膜上にまで延在するように形成され、前記中継導電体と前記アンテナとが前記コンタクトホールで電気的に接続されることを特徴とする請求項２に記載の表示装置。
【請求項４】
前記無線通信デバイスが、当該表示装置に係わる情報を記憶する機能を備えたことを特徴とする請求項１ないし３のいずれか一項に記載の表示装置。
【請求項５】
前記無線通信デバイスが、当該表示装置外の無線通信デバイスに対して情報を書き込む機能、もしくは当該表示装置外の無線通信デバイスの持つ情報を読み取る機能の少なくとも一方を備えたことを特徴とする請求項１ないし３のいずれか一項に記載の表示装置。
【請求項６】
前記無線通信デバイスが、当該表示装置外の無線通信デバイスに対して書き込む情報、もしくは当該表示装置外の無線通信デバイスの持つ情報の少なくとも一方を記憶する機能を備えたことを特徴とする請求項１ないし３のいずれか一項に記載の表示装置。
【請求項７】
前記アンテナの少なくとも一部が、前記基板上の前記表示部以外の領域に形成されていることを特徴とする請求項１ないし６のいずれか一項に記載の表示装置。
【請求項８】
前記アンテナの少なくとも一部が、前記基板の周縁部に沿って形成されていることを特徴とする請求項７に記載の表示装置。
【請求項９】
前記基板上のアンテナよりも上層側に形成されて当該表示装置を構成する導電体が、前記アンテナと平面的に重ならない位置に配置されたことを特徴とする請求項１ないし８のいずれか一項に記載の表示装置。
【請求項１０】
請求項１ないし９のいずれか一項に記載の表示装置を備えたことを特徴とする電子機器。
【請求項１１】
請求項１ないし９のいずれか一項に記載の表示装置を備えるとともに、前記無線通信デバイスの前記アンテナと電流の流れを一方向に規制する整流部を介して電気的に接続された充電部を備え、
前記アンテナが、電磁誘導を利用して外部から前記充電部に電力を充電するアンテナとして用いられることを特徴とする電子機器。
【請求項１２】
前記充電部と電気的に接続された表示装置以外の他の機器を備え、
前記他の機器が、前記充電部に蓄えられた電力により、駆動されることを特徴とする請求項１１記載の電子機器。
【請求項１３】
一方の表示装置と、他方の表示装置と、を有し、
前記他方の表示装置が、請求項１ないし９のいずれか一項に記載の表示装置であるとともに、前記一方の表示装置が設けられた面と反対の面に設けられていることを特徴とする電子機器。
【請求項１４】
前記一方の表示装置が、前記他方の表示装置が当該表示装置外の無線通信デバイスに対して書き込んだ情報、および当該表示装置外の無線通信デバイスから読み取った情報の少なくとも一方を表示することを特徴とする請求項１３記載の電子機器。
【請求項１５】
前記一方の表示装置が、前記他方の表示装置が当該表示装置外の無線通信デバイスに対して書き込んだ情報、および当該表示装置外の無線通信デバイスから読み取った情報の少なくとも一方の情報を記憶するとともに表示することを特徴とする請求項１３記載の電子機器。
【請求項１６】
請求項１ないし９のいずれか一項に記載の表示装置を備え、
前記表示装置が、当該表示装置外の無線通信デバイスに対して書き込んだ情報、および当該表示装置外の無線通信デバイスから読み取った情報の少なくとも一方を表示することを特徴とする電子機器。
【請求項１７】
請求項１ないし９のいずれか一項に記載の表示装置を備え、
前記表示装置が、当該表示装置外の無線通信デバイスに対して書き込んだ情報、および当該表示装置外の無線通信デバイスから読み取った情報の少なくとも一方を記憶するとともに表示することを特徴とする電子機器。
【請求項１８】
前記表示装置の一方の面および他方の面の少なくとも一部の領域が、外部に露出するように備えられていることを特徴とする請求項１６または１７に記載の電子機器。
【請求項１９】
前記表示装置が、前記一方の面および前記他方の面どちらにも画像を表示できる表示装置であることを特徴とする請求項１６ないし１８のいずれか一項に記載の電子機器。
【請求項２０】
当該表示装置外の無線通信デバイスが、前記無線通信デバイスに対して、当該電子機器に係わる情報をデータとして読み取り、書き込みできることを特徴とする請求項１０ないし１９のいずれか一項に記載の電子機器。
【請求項２１】
前記無線通信デバイスが、外部から前記アンテナに入力された電波により駆動されることを特徴とする請求項２０記載の電子機器。
【請求項２２】
前記無線通信デバイスに電気的に接続された電源部を有し、
前記無線通信デバイスが、前記電源部の電力により駆動されることを特徴とする請求項２０記載の電子機器。
【請求項２３】
前記無線通信デバイスに対して、当該電子機器に係わる情報がデータとして書き換えられることを特徴とする請求項１０ないし１９のいずれか一項に記載の電子機器。
【請求項２４】
前記無線通信デバイスが、当該電子機器に係わる情報をデータとして記録する記録部を有し、
前記記録部には、書換え可能な領域と、書換えが不可能な領域と、が設けられていることを特徴とする請求項２３記載の電子機器。
【発明の詳細な説明】
【技術分野】
【０００１】
本発明は、無線通信デバイスを備えた表示装置および電子機器に関するものである。
【背景技術】
【０００２】
例えば液晶ディスプレイ等の表示装置の分野では、１枚のマザー基板上に複数個の液晶セル用パターンを同時に作り込み、２枚のマザー基板を貼り合わせた後で個々のセル毎に分割する、いわゆる「複数個取り」などと呼ばれる生産方法が採用されている（例えば特許文献１参照）。この生産方法は極めて生産性の良いものであるが、液晶モジュール製品として出荷するまでには、駆動用フレキシブルプリント基板（Ｆｌｅｘｉｂｌｅ  Ｐｒｉｎｔｅｄ  Ｃｉｒｃｕｉｔ、以下、ＦＰＣと略記する）の接続など、この後まだ多くの工程を有している。特に個々のセルに分割した後では、ロット番号、マザー基板番号、製品番号等の製品識別情報や、製造工場、製造年月日等の製品履歴情報を製品毎に持たせておくのが難しい、という問題があった。そこで、例えば生産ラインの作業者が製品毎の情報を記録に付けるなどして、製品管理、工程管理を行っている。この種の製品管理、工程管理の煩雑さは、製品の生産過程のみならず、流通過程においても問題となる。
【特許文献１】特開２００２−２６８０４２号公報
【発明の開示】
【発明が解決しようとする課題】
【０００３】
ところで、製品管理、在庫管理等を効率的に行う方法として、情報記録媒体としてーコードを用いた管理が従来から知られている。この方法では、バーコードを製品に貼付しておけば、各種情報の読み取りはリーダーで簡単に行うことができ、コンピュータを用いた情報管理が可能になる。さらに、近年、バーコードに代わるものとして、ＩＣタグ、ＲＦＩＤタグなどと呼ばれるＲＦＩＤ（無線認証）技術を利用した無線通信デバイス（情報記録媒体）が注目を浴びている。ＩＣタグは、リーダー／ライターとの間で非接触で通信が行え、内部に搭載されたメモリー内の情報のやり取りを通して製品管理、在庫管理等が行えるものである。また、情報の追記や書換えが随時行える点でバーコードに比べて優れた特徴を有している。
【０００４】
例えば、上記のＩＣタグを液晶表示装置の製品管理、工程管理に用いようとすると、ＩＣチップとアンテナからなるＩＣタグを液晶表示装置の表示エリア外に貼り付ける必要がある。液晶表示装置は年々小型化が進んでおり、それに伴って表示エリア外側の周縁領域（額縁領域、見切り領域ということもある）の面積が小さくなっている。また、曲面状に湾曲可能な液晶表示装置も提供されており、液晶表示装置を構成するガラス基板の薄型化が進んでいる。寸法の一例としては、周縁領域の幅が２ｍｍ以下、ガラス基板の厚さが０．４ｍｍ以下のものがある。一方、ＩＣタグの方は、例えばＩＣチップが１ｍｍ角、アンテナの長さが数ｃｍというものがある。このような状況の下、場合によってはＩＣタグを液晶表示装置に貼付するスペースがないという問題、もしくはスペースがあったとしても、細長いＩＣタグを貼付する作業に非常に多くの手間や時間を要するという問題が生じている。そのため、液晶表示装置の製品管理、工程管理には、今のところＩＣタグが利用されていない。これは、液晶表示装置のみならず、他の表示装置にも共通の問題である。
【０００５】
一方、液晶表示装置はテレビジョン、パソコンモニター、カーナビゲーション装置、デジタルカメラなどの電子機器に組み込まれた後、この電子機器が最終製品として市場に流通する。この場合、最終製品、例えばテレビジョンとしての製品識別情報や製品履歴情報も持たせておく必要があり、上記のＩＣタグを用いる場合にはテレビジョンの筐体などに貼り付ける必要がある。すると、液晶表示装置の製造工程、テレビジョンの製造工程のそれぞれにおいてＩＣタグを貼付する作業が必要となり、これらの作業に非常に多くの手間や時間を要するという問題がある。これは、液晶表示装置のみならず、他の表示装置を備えた各種の電子機器に共通の問題である。
【０００６】
本発明は、上記の課題を解決するためになされたものであって、貼付のための特別なスペースを必要とせず、貼付作業の時間や手間を削減し得る、ＩＣタグ等の無線通信デバイスを備えた表示装置および電子機器を提供することを目的とする。
【課題を解決するための手段】
【０００７】
上記の目的を達成するために、本発明の表示装置は、表示部および表示部駆動用配線が設けられた少なくとも１枚の基板と、通信用集積回路部とアンテナとを有する無線通信デバイスとを備えた表示装置であって、前記アンテナの少なくとも一部が、前記基板上に形成されるとともに、前記表示部を構成する導電体もしくは前記表示部駆動用配線を構成する導電体と同層の導電体により構成されていることを特徴とする。
【０００８】
本発明の他の表示装置は、前記アンテナの少なくとも一部が、前記基板上に形成されるとともに、前記表示部を構成する導電体もしくは前記表示部駆動用配線を構成する導電体と同一材料の導電体により構成されていることを特徴とする。
本発明のさらに他の表示装置は、前記アンテナの少なくとも一部が、前記基板上に形成されるとともに、前記表示部を構成する導電体もしくは前記表示部駆動用配線を構成する導電体と同一工程で形成された導電体により構成されていることを特徴とする。
【０００９】
ＩＣタグ等の無線通信デバイスは、通信用集積回路部とアンテナから構成されるものである。通信用集積回路部はある程度複雑な回路構成が必要とされるが、アンテナは所定の幅と長さを有する１本の線材からなる簡単な構成である。そこで、本発明者は、表示装置を構成する基板上に上記のアンテナを直接作り込む構成に思い至った。また、もともと表示装置の基板上に、表示部における各種電極やスイッチング素子等を構成する導電体、あるいは表示部駆動用の各種配線を構成する導電体が存在していることに着目した。そして、少なくともアンテナの一部を通常の基板作成プロセスと別に形成するのではなく、上記導電体と同層、同一材料、同一工程で形成することにした。この構成によれば、表示部等のパターンが存在しない基板上の任意の位置にアンテナの少なくとも一部を形成できるので、アンテナを貼付するための特別なスペースを設ける必要がない。また、アンテナの少なくとも一部を通常の製造プロセスの中で形成できるので、アンテナの貼付作業に要する時間や手間を削減することができる。
【００１０】
前記無線通信デバイスは、当該表示装置に係わる情報を記憶する機能を備えたものであってもよい。もしくは、前記無線通信デバイスは、当該表示装置外の無線通信デバイスに対して情報を書き込む機能、もしくは当該表示装置外の無線通信デバイスの持つ情報を読み取る機能の少なくとも一方を備えたものであってもよい。もしくは、前記無線通信デバイスは、当該表示装置外の無線通信デバイスに対して書き込む情報、もしくは当該表示装置外の無線通信デバイスの持つ情報の少なくとも一方を記憶する機能を備えたものであってもよい。
すなわち、本発明で言う「無線通信デバイス」は、例えばロット番号、マザー基板番号、製品番号等の製品識別情報や、製造工場、製造年月日等の製品履歴情報などの当該表示装置に関する情報を記憶する情報記憶媒体としての機能を持つものであればよい。もしくは、同様の無線通信デバイスからなる他の情報記憶媒体に対して上記のような情報を書き込むか、他の情報記憶媒体に記憶させた情報を読み取る、いわゆるリーダー／ライター機能を持つものであってもよい。もしくは、上記のような無線通信デバイスからなる他の情報記憶媒体に対して書き込む情報か、他の情報記憶媒体から読み取った情報を記憶する機能を持つものであってもよい。いずれにしてもアンテナの構成は共通でよく、通信用集積回路部内の構成によって２つの機能のいずれを持つものも実現可能である。
【００１１】
本発明の最大の特徴点は、アンテナの少なくとも一部が基板上に形成されたことであるが、通信用集積回路部の構成についてはいくつかの形態が考えられる。（１）通信用集積回路部を基板上に実装する形態、（２）例えば駆動用ＩＣが搭載されたＦＰＣ等、表示部駆動用の外部基板を基板に対して接続する場合、通信用集積回路部をその外部基板上に実装する形態、（３）通信用集積回路部を基板上に直接作り込む形態、などがある。
【００１２】
（１）の構成は、例えばＩＣチップのように別体の通信用集積回路部を基板上に実装するというものである。この構成によれば、別に用意しておいた通信用集積回路部を実装することで、無線通信デバイスを容易に基板上に搭載することができる。また、無線通信デバイス全体が基板上に配置されることになるので、基板が完成した後、通信用集積回路部を実装しさえすれば、駆動用の外部基板などを接続する前の段階から無線通信デバイスを利用して製品管理、工程管理などを行うことができる。
【００１３】
（１）の構成の場合、通信用集積回路部とアンテナとを電気的に接続する必要がある。
その方法としては、通信用集積回路部とアンテナを、表示部を構成する導電体もしくは表示部駆動用配線を構成する導電体と同層の導電体を介して電気的に接続することができる。すなわち、アンテナ自体と同様、通信用集積回路部とアンテナを電気的に接続する導電体に関しても、表示部もしくは表示部駆動用配線を構成する導電体と同層の導電体で形成することが望ましい。
この構成によれば、通信用集積回路部とアンテナを電気的に接続する導電体を基板上の他の導電体と同時に形成することができるので、工程数が増え、製造プロセスが複雑になることがない。よって、合理的に通信用集積回路部とアンテナを接続することができる。
【００１４】
（２）の構成は、表示部駆動用の外部基板が前記基板に対して電気的に接続され、外部基板上に通信用集積回路部が実装されたものである。この場合、外部基板に設けられた導電体と基板上に形成されたアンテナとを電気的に接続することで外部基板上の導電体と基板上のアンテナとがアンテナ全体を構成するようにしてもよい。
この構成によれば、例えば表示装置の基板が小型であり、基板上に形成するアンテナの長さが充分取れないような場合であっても、アンテナ全体としての長さが足りない分を外部基板上の導電体で補うことができ、所望の性能のアンテナを得ることができる。これにより、アンテナの設計の自由度を増すことができる。また、表示部駆動用の外部基板にはもともと多くの配線等が設けられているので、外部基板上にアンテナ用の導電体を追加することはそれ程負担とならない。
【００１５】
（２）の構成の場合、前記外部基板が複数の外部基板からなり、複数の外部基板のいずれかに通信用集積回路部が実装された構成でもよい。
表示装置の基板には、例えばＦＰＣ等の駆動用基板（第１の外部基板）が接続され、この駆動用基板がさらにプリント配線板等の他の回路基板（第２の外部基板）に接続される場合がある。本発明で言う「複数の外部基板」とはこのような基板を含むものである。上記の構成において、通信用集積回路部は第１の外部基板、第２の外部基板のいずれに実装してもよい。上記のケースにおいて、例えば第２の外部基板に通信用集積回路部を実装した場合、基板上のアンテナ、第１の外部基板上の導電体、および第２の外部基板上の導電体で全体としてのアンテナを構成してもよい。
【００１６】
（３）の構成は、前記基板上に形成された複数の半導体素子によって通信用集積回路部を構成したものである。
この構成によれば、ＩＣチップ等からなる通信用集積回路部を別途用意する必要がなく、通信用集積回路部を実装する手間も必要ない。
【００１７】
（３）の構成の場合、通信用集積回路部を構成する複数の半導体素子が、前記基板上に形成された他の半導体素子と同一の構成であることが望ましい。
表示装置の基板上には、表示部の画素スイッチング用の半導体素子や、表示部駆動回路を構成する半導体素子が形成される場合がある。その場合、通信用集積回路部を構成する半導体素子が、このような他の半導体素子と同一の構成であれば、これら半導体素子を同時に形成することができるので、工程数が増え、製造プロセスが複雑になることがない。
【００１８】
前記アンテナの少なくとも一部は、基板上の任意の位置に形成することができるが、表示部以外の領域に形成することが望ましい。例えば、基板の周縁部に沿って形成することが望ましい。
この構成によれば、表示に支障がなく、もともとスペースがある基板の周縁部（額縁領域）を有効に利用してアンテナを配置することができる。
【００１９】
基板上のアンテナよりも上層側に形成されて当該表示装置を構成する導電体が存在する場合、その導電体がアンテナと平面的に重ならない位置に配置されることが望ましい。簡単に言えば、アンテナの上方に導電体が存在しない方がよい。
アンテナの上方に導電体が存在していたとしても、電波が回り込んでアンテナに到達するため、通信は一応可能である。しかしながら、アンテナの上方に導電体が存在すると電波が一部遮蔽される恐れがあるため、通信を確実に行うためにはアンテナの上方に導電体が存在しない方が望ましい。
【００２０】
本発明の表示装置は、表示部および表示部駆動用配線が設けられた少なくとも１枚の基板と、通信用集積回路部とアンテナとを有する無線通信デバイスとを備えた表示装置であって、前記無線通信デバイスの少なくとも一部が、前記基板上に直接形成されていることを特徴とする。
この構成によれば、無線通信デバイスを設置するための特別なスペースが必要なく、設置作業に要する時間や手間を削減し得る表示装置を実現することができる。
【００２１】
本発明の電子機器は、上記本発明の表示装置を備えたことを特徴とする。
この構成によれば、自身の製品管理、工程管理が容易であって、その一方、情報書き込み／読み取り装置としても使用可能な表示装置を備えた電子機器を実現できる。
【００２２】
上記本発明の表示装置を備えるとともに、無線通信デバイスのアンテナと電流の流れを一方向に規制する整流部を介して電気的に接続された充電部を備え、アンテナが、電磁誘導を利用して外部から前記充電部に電力を充電するアンテナとして用いられてもよい。
この構成によれば、電磁誘導により無線通信デバイスのアンテナに誘起される電流を充電部に蓄えることができるので、外部電源などに接続することなく、電子機器に電力を供給し、充電させることができる。そのため、例えば、当該電子機器専用の充電器を用いることなく電子機器に電力を供給し、充電させることができ、専用の充電器が無いと電子機器に充電できないといった不都合を解消することができる。
また、アンテナと充電部との間には、整流部が配置されているので、充電部には常に同一方向から電流が充電され、効率良く充電される。
【００２３】
充電部と電気的に接続された表示装置以外の他の機器を備え、他の機器が前記充電部に蓄えられた電力により駆動されてもよい。
この構成によれば、外部電源などに接続することなく充電できる充電部の電力で、電子機器の上記他の機器を駆動することができる。そのため、例えば、当該電子機器専用の充電器を用いることなく電子機器に電力を供給し、駆動させることができ、専用の充電器が無いと電子機器に充電、駆動できないといった不都合を解消することができる。
【００２４】
一方の表示装置と、他方の表示装置と、を有し、他方の表示装置が上記本発明の表示装置であるとともに、一方の表示装置が設けられた面と反対の面に設けられていてもよい。
この構成によれば、上記無線通信デバイスが設けられた他方の表示装置が、一方の表示装置と反対の面に設けられているため、一方の表示装置に表示された画像を視認した状態で、他方の表示装置に備えられた上記無線通信デバイスが情報の書き込み、および情報の読み取りを確実に行うことができる。つまり、他方の表示装置は、上記の状態では外側を向くため、電子機器自身の筐体などが、無線通信デバイスから放射される電波を遮蔽する恐れが少なく、情報の書き込み、および情報の読み取りを確実に行うことができる。
【００２５】
一方の表示装置が、他方の表示装置が当該表示装置外の無線通信デバイスに対して書き込んだ情報、および当該表示装置外の無線通信デバイスから読み取った情報の少なくとも一方を表示することが望ましい。
この構成によれば、他方の表示装置に備えられた上記無線通信デバイスが当該表示装置外の無線通信デバイスに対して書き込んだ情報、および当該表示装置外の無線通信デバイスから読み取った情報の少なくとも一方を、一方の表示装置に表示させることができる。
そのため、電子機器の向きを変えることなく書き込んだ情報、および読み取った情報を確認することができ、上記情報を瞬時に確認することができる。
【００２６】
一方の表示装置が、他方の表示装置が当該表示装置外の無線通信デバイスに対して書き込んだ情報、および当該表示装置外の無線通信デバイスから読み取った情報の少なくとも一方の情報を記憶するとともに表示することが望ましい。
この構成によれば、他方の表示装置に備えられた上記無線通信デバイスが当該表示装置外の無線通信デバイスに対して書き込んだ情報、および当該表示装置外の無線通信デバイスから読み取った情報の少なくとも一方を記憶するとともに、一方の表示装置に表示させることができる。そのため、上記無線通信デバイスが書き込んだ情報、および読み取った情報を、後から表示装置に表示させ確認することができる。
また、一度、当該表示装置外の無線通信デバイスに対して書き込んだ情報と同じ情報を、繰り返し、さらに別の無線通信デバイスに対して書き込むことができる。また、当該表示装置外の無線通信デバイスから読み取り記憶した情報を、さらに別の無線通信デバイスに対して書き込むことができる。
【００２７】
上記本発明の表示装置を備えるとともに、表示装置が、当該表示装置外の無線通信デバイスに対して書き込んだ情報、および当該表示装置外の無線通信デバイスから読み取った情報の少なくとも一方を表示してもよい。
この構成によれば、表示装置に備えられた上記無線通信デバイスが当該表示装置外の無線通信デバイスに対して書き込んだ情報、および当該表示装置外の無線通信デバイスから読み取った情報の少なくとも一方を、表示装置に表示させることができる。そのため、上記無線通信デバイスが書き込んだ情報、および読み取った情報を確認することができる。
【００２８】
上記本発明の表示装置を備えるとともに、表示装置が、当該表示装置外の無線通信デバイスに対して書き込んだ情報、および当該表示装置外の無線通信デバイスから読み取った情報の少なくとも一方を記憶するとともに表示してもよい。
この構成によれば、表示装置に備えられた上記無線通信デバイスが当該表示装置外の無線通信デバイスに対して書き込んだ情報、および当該表示装置外の無線通信デバイスから読み取った情報の少なくとも一方を記憶するとともに、表示装置に表示させることができる。そのため、上記無線通信デバイスが書き込んだ情報、および読み取った情報を、後から表示装置に表示させ確認することができる。
また、一度、当該表示装置外の無線通信デバイスに対して書き込んだ情報と同じ情報を、繰り返し、さらに別の無線通信デバイスに対して書き込むことができる。また、当該表示装置外の無線通信デバイスから読み取り記憶した情報を、さらに別の無線通信デバイスに対して書き込むことができる。
【００２９】
表示装置の一方の面および他方の面の少なくとも一部の領域が、外部に露出するように備えられていることが望ましい。
この構成によれば、表示装置の一方の面の少なくとも一部の領域および他方の面の少なくとも一部の領域が、外部に露出している。そのため、例えば、一方の面が表示面の場合、一方の面に表示された画像を上記一部の領域から視認することができるとともに、他方の面の上記一部の領域から、上記無線通信デバイスが情報を書き込みおよび読み取りすることができる。つまり、電子機器の筐体などにより上記無線通信デバイスの情報の書き込みおよび読み取りが妨害されることがない。
また、例えば、表示装置に備えられた上記無線通信デバイスが、他方の面の上記一部の領域から書き込んだ、および読み取った情報を、表示装置の一方の面に表示させることができる。そのため、電子機器の向きを変えることなく書き込んだ、および読み取った情報を確認することができ、書き込んだ、および読み取った情報を瞬時に確認することができる。
【００３０】
表示装置が、一方の面および他方の面どちらにも画像を表示できる表示装置であってもよい。
この構成によれば、電子機器の向きにかかわらず、電子機器の向きを変えることなく書き込んだ情報、および読み取った情報を確認することができ、上記情報を瞬時に確認することができる。つまり、他方の面側から上記無線通信デバイスが書き込んだ情報、および読み取った情報を、一方の面に表示することができ、また、逆に、一方の面側から上記無線通信デバイスが書き込んだ情報、および読み取った情報を、他方の面に表示することができる。
【００３１】
当該表示装置外の無線通信デバイスが、無線通信デバイスに対して、電子機器に係わる情報がデータとして読み書きされるように構成されてもよい。
この構成によれば、当該表示装置外の無線通信デバイスから無線通信デバイスに対して上記情報が読み書きされることができる。そのため、上記情報を新たに追加することができるとともに、書き込まれた情報を読み取ることができる。
【００３２】
無線通信デバイスが、外部からアンテナに入力された電波により駆動されるように構成されてもよい。
この構成によれば、無線通信デバイスは、電子機器から電力を供給されることなく、電子機器に係わる情報をデータとして読み書きすることができる。そのため、電子機器の構成をより簡素にすることができるとともに、電子機器の消費電力を低減させることができる。
【００３３】
無線通信デバイスに電気的に接続された電源部が備えられ、無線通信デバイスが、電源部の電力により駆動されるように構成されてもよい。
この構成によれば、無線通信デバイスは、電源部の電力を用いて、自ら電波を放出して電子機器に係わる情報をデータとして読み書きすることができる。そのため、電源部を持たない無線通信デバイスに対しても自ら働きかけて電子機器に係わる情報をデータとして読み書きすることができ、データを読み書きする対象を拡大することができる。
【００３４】
無線通信デバイスに対して、電子機器に係わる情報がデータとして書き換えられるように構成されてもよい。
この構成によれば、電子機器に係わる情報がデータとして書き換えられるため、無線通信デバイスには、最新の電子機器に係わる情報が書き込まれている。また、上記データが書き換えられるので、無線通信デバイスのデータを書き込む領域が一杯になる恐れがなく、何回でもデータを書換え、更新することができる。
【００３５】
無線通信デバイスが、電子機器に係わる情報をデータとして記録する記録部を有し、記録部には、書換え可能な領域と、書換えが不可能な領域と、が設けられていてもよい。
この構成によれば、記録部には、書換え可能な領域と、書換えが不可能な領域と、が設けられている。そのため、例えば、書換え不可能な領域に電子機器に係わる不変な情報（ロット番号、製品番号等の製品識別情報や、製造工場、製造年月日など）を書き込み、書換え可能な領域に電子機器に係わる経歴を書き込むことができる。また、子機器に係わる不変な情報は、書換え不可能な領域に書き込まれているため、誤って書き換えられることがない。
【００３６】
本発明の他の電子機器は、表示部および表示部駆動用配線が設けられた少なくとも１枚の基板と、通信用集積回路部とアンテナとを含む無線通信デバイスとを有する表示装置を備えた電子機器であって、前記アンテナの少なくとも一部が、前記表示装置の前記基板上に形成されるとともに、前記表示部を構成する導電体もしくは前記表示部駆動用配線を構成する導電体と同層の導電体により構成され、前記無線通信デバイスに対して、当該電子機器に係わる情報がデータとして書き込まれることを特徴とする。
【００３７】
本発明のさらに他の電子機器は、前記アンテナの少なくとも一部が、前記表示装置の前記基板上に形成されるとともに、前記表示部を構成する導電体もしくは前記表示部駆動用配線を構成する導電体と同一材料の導電体により構成され、前記無線通信デバイスに対して、当該電子機器に係わる情報がデータとして書き込まれることを特徴とする。
本発明のさらに他の電子機器は、前記アンテナの少なくとも一部が、前記表示装置の前記基板上に形成されるとともに、前記表示部を構成する導電体もしくは前記表示部駆動用配線を構成する導電体と同一工程で形成された導電体により構成され、前記無線通信デバイスに対して、当該電子機器に係わる情報がデータとして書き込まれることを特徴とする。
【００３８】
アンテナが表示装置の基板上に作り込まれる無線通信デバイスに対して、最終製品である電子機器に係わる情報がデータとして書き込まれるので、電子機器の製造工程においてＩＣタグを貼付する工程が不要となり、多くの手間や時間を削減することができる。さらに、表示装置は電子機器の中でも使用者にとって見やすい位置に配置されるため、使用者がリーダー／ライターを無線通信デバイスに近付けやすく、情報の書き込みや読み取りを確実に行うことができる。また、無線通信デバイスはもともと表示装置に備えられているので、表示装置の情報を記憶させておくことも勿論可能であり、これにより表示装置の部分だけの情報を把握することができる。なお、ここで言う「当該電子機器に係わる情報」とは、例えばロット番号、製品番号等の製品識別情報や、製造工場、製造年月日等の製品履歴情報などを含むものである。
【発明を実施するための最良の形態】
【００３９】
［第１の実施の形態］
以下、本発明の第１の実施の形態を図１〜図７を参照して説明する。
本実施の形態の表示装置は、画素スイッチング素子としてアモルファスシリコンＴＦＴ（Ｔｈｉｎ  Ｆｉｌｍ  Ｔｒａｎｓｉｓｔｏｒ）を用いたアクティブマトリクス方式の透過型液晶表示装置の例である。
図１は本実施の形態の液晶表示装置の平面図である。図２および図３は液晶表示装置の断面構造を示す図であって、図２は図１のＡ−Ａ’線に沿う断面図、図３は図１のＢ−Ｂ’線に沿う断面図である。図４〜図６はアンテナの配置に関する変形例を示す平面図であり、図７は図６の構成における一部の断面図である。なお、以下の各図においては、各構成要素を認識可能な大きさとするため、各構成要素毎に寸法の縮尺を異ならせている。
【００４０】
本実施の形態の液晶表示装置は、図１および図２に示すように、液晶セル１と、これに接続された２枚のＦＰＣ２、３（外部基板）とから概略構成されている。液晶セル１は、互いに対向配置された矩形状の素子基板４と対向基板５とから構成され、これら素子基板４と対向基板５との間に液晶層５０が挟持されている。素子基板４の縦横の寸法は対向基板５の縦横の寸法よりも大きく、素子基板４と対向基板５とは、図１における右辺同士、下辺同士がそれぞれ重なり合い、素子基板４の左辺側と上辺側が対向基板５からはみ出すように配置されている。対向基板５の縁に沿ってシール材６が設けられ、その内側に矩形枠状の遮光膜７が設けられている。この遮光膜７の内側の領域が実質的に表示に寄与する表示部８となり、表示部内に複数のデータ線９（表示部駆動用配線）と複数の走査線１０（表示部駆動用配線）が格子状に配置され、データ線９と走査線１０とに囲まれた領域からなる画素１１がマトリクス状に複数配置されている。各画素１１内には、アモルファスシリコンＴＦＴおよび画素電極（図１ではともに図示略）が設けられている。
【００４１】
複数のデータ線９と複数の走査線１０は表示部８の外にまで延在し、素子基板４の左端と上端の非表示部においてこれらデータ線９、走査線１０の端部には外部接続端子（図示略）が設けられている。素子基板４の左端と上端には、弾性変形可能なフィルム状のＦＰＣ２、３がそれぞれ貼付されており、ＦＰＣ２、３上の配線パターン（図示略）と素子基板４上の外部接続端子とが電気的に接続されている。また、各ＦＰＣ２、３上にはデータ線駆動用のデータドライバーＩＣ１２、走査線駆動用のゲートドライバーＩＣ１３がそれぞれ搭載されており、これらドライバーＩＣ１２、１３からの信号によって表示部８内の各画素１１が駆動される。図１における液晶セル１の右辺に沿って無線通信デバイス１４が設けられている。無線通信デバイス１４は、メモリー、ＣＰＵなどが内蔵されたＩＣチップ１５（通信用集積回路部）と、電波を送信または受信するアンテナ１６とを有している。本実施の形態においては、ＩＣチップ１５は素子基板４の右上の角部に実装され、アンテナ１６はＦＰＣ２、３が貼付されていない素子基板４の右辺に沿って形成されている。
【００４２】
液晶表示装置の断面構造は、図２に示すように、素子基板４をなすガラス基板１８の内面（液晶層５０側の面）に、画素スイッチング用のＴＦＴ１９が形成されている。ＴＦＴ１９はゲート電極２０（走査線１０）、ゲート絶縁膜２１、半導体層２２、ソース層２３、ドレイン層２４、ソース電極２５（データ線９）、ドレイン電極２６を有しており、層間絶縁膜２７によって覆われている。層間絶縁膜２７にはコンタクトホール２８が形成され、ＩＴＯ（Ｉｎｄｉｕｍ  Ｔｉｎ  Ｏｘｉｄｅ）等の透明導電膜からなる画素電極２９がコンタクトホール２８を介してドレイン電極２６に接続されている。素子基板４の最表面には配向膜３０が形成されている。一方、対向基板５をなすガラス基板３２の内面（液晶層５０側の面）には、クロム等の光反射率の低い金属からなる遮光膜７が形成され、遮光膜７を覆う絶縁膜３３がさらに形成されている。絶縁膜３３上に共通電極３４が形成され、対向基板５の最表面には配向膜３５が形成されている。そして、素子基板４を構成するガラス基板１８上のシール材６の下方にあたる領域にアンテナ１６が形成されている。
アンテナ１６の形成位置は遮光膜７よりも外側、すなわち表示部８よりも外側である。アンテナ１６はＴＦＴ１９のゲート電極２０（走査線１０）と同層で形成されている。言い換えると、アンテナ１６とゲート電極２０（走査線１０）とは同一材料からなり、製造プロセスにおける同一工程で形成される。具体的な材料の例としては、通常の配線材料として用いられるアルミニウムなどが挙げられる。液晶セル１全体として見たときに、アンテナ１６よりも上層側（対向基板５側）には例えば共通電極３４や遮光膜７等の導電膜が存在するが、これらの導電膜はアンテナ１６と平面的に重ならないように配置されている。
【００４３】
ＩＣチップ１５とアンテナ１６との接続部分の断面構造は図３に示す通りである。
すなわち、ＩＣチップ１５は接続用の複数のバンプ５２を有しており、バンプ５２を介して素子基板４上に実装されている。いわゆるＣＯＧ（Ｃｈｉｐ  Ｏｎ  Ｇｌａｓｓ）実装である。層間絶縁膜２７およびゲート絶縁膜２１にはアンテナ１６の上面に達するコンタクトホール５３が形成され、中継導電体５４がコンタクトホール５３の内面を覆い、さらに層間絶縁膜２７上にまで延在するように形成されている。このように、中継導電体５４とアンテナ１６とは、コンタクトホール５３の部分で電気的に接続されている。中継導電体５４の端部上には異方性導電膜５５を介してＩＣチップ１５のバンプ５２が電気的に接続されている。中継導電体５４は画素電極２９と同層で形成されている。すなわち、中継導電体５４と画素電極２９とはＩＴＯ等の同一材料からなり、製造プロセスにおける同一工程で形成される。このように、本実施の形態においては、アンテナ１６がゲート電極２０と同層（同一材料、同一工程）で形成されるとともに、中継導電体５４が画素電極２９と同層（同一材料、同一工程）で形成されている。なお、図示は省略するが、ＩＣチップ１５に対して電源電圧や信号を入力する場合には、ＦＰＣ２、３上の配線と、素子基板４上の走査線１０やデータ線９と同層からなる配線とを介して入力を行う構成としてもよい。
【００４４】
本実施の形態の液晶表示装置は、無線通信デバイス１４を構成するアンテナ１６の全体をゲート電極２０（走査線１０）と同層、同一材料、同一工程で液晶セル１の表示部８の外側に形成したものである。この構成により、例えば市販のＩＣタグを液晶表示装置に貼り付ける場合のようにアンテナ１６を貼付するスペースを設ける必要がなく、アンテナ１６の貼付作業に要する時間や手間を削減することができる。無線通信デバイス１４として、図１４の符号ＴのようにＩＣチップ１５が情報記憶用のメモリー（記録部）５７を備えたものであれば、製品識別情報や製品履歴情報などの当該表示装置に関する情報を記憶させ、無線ＩＣタグとして生産過程や流通過程での製品管理、工程管理等に用いることができる。従来、例えばロット単位で数百〜数千個の液晶表示装置を単位として工程管理していたものが１個の液晶表示装置毎に工程管理できるため、工程の柔軟性が増す。あるいは、図１４の符号ＲのようにＩＣチップ１５が送受信部の制御部５８を備えたものであれば、他の無線通信デバイスとの間で情報の書き込み、読み取りを行う、いわゆるリーダー／ライターとして用いることができる。
【００４５】
さらに、メモリー５７内に、上記情報を書換え可能な領域と、書換え不可能な領域とが形成されたものであれば、製品識別情報などのように不変な情報であって、書き換えられると不都合な情報を書換え不可能な領域に記憶させ、常に最新の情報に書換えが求められる情報は書換え可能な領域に記憶させることができる。さらに、読み取った情報をメモリー５７内に記憶し、またはその書換えを行うこともできる。
【００４６】
また、本実施の形態は、ＩＣチップ１５を液晶セル１の素子基板４上に実装した構成であるから、予め用意しておいたＩＣチップ１５を実装することで無線通信デバイス１４を容易に素子基板４上に搭載することができる。特に、液晶セル１が完成した直後にＩＣチップ１５を実装するようにすれば、駆動用のＦＰＣを接続する前の時点から無線通信デバイス１４を利用して製品管理、工程管理などを行うことが可能である。また、本実施の形態の場合、アンテナ１６のみならず、ＩＣチップ１５とアンテナ１６とを接続する中継導電体５４も画素電極２９と同層、同一材料、同一工程で形成するので、中継導電体５４の形成のために工程数が増え、製造プロセスが複雑になることがない。さらに、液晶表示装置を構成する共通電極３４、遮光膜７等の導電体がアンテナ１６と平面的に重ならない位置に配置されているので、導電体によって電波が遮蔽される恐れがなく、情報の書き込み、読み取りを確実に行うことができる。
【００４７】
また、ＩＣチップ１５のメモリーに製品識別情報や製品履歴情報などの当該表示装置に関する製品情報を記憶させておけば、無線ＩＣタグとして生産過程や流通過程での製品管理、工程管理等に用いることができる。従来、例えばロット単位で数百〜数千個の液晶表示装置を単位として工程管理していたものが１個の液晶表示装置毎に工程管理できるため、工程の柔軟性が増す。
【００４８】
なお、本実施の形態では、アンテナ１６をゲート電極２０と同層で形成したが、その他、データ線９や画素電極２９と同層で形成してもよい。あるいは、これらを組み合わせて複数の層でアンテナを構成してもよい。また、ＩＣチップ−アンテナ接続用の中継導電体５４を構成する層も画素電極２９と同層には限らず、ＩＣチップ１５を基板上に実装する形態はＣＯＧに限ることもない。中継導電体５４を介さず、ＩＣチップを直接アンテナに接続してもよい。駆動用ドライバーＩＣ１２、１３はＦＰＣ２、３上に搭載する形態の他、例えばＣＯＧ等により素子基板４上に直接実装してもよい。また、ＴＦＴ１９の形態や、液晶表示装置のタイプ（透過型／反射型／半透過反射型）等についても適宜変更が可能である。
【００４９】
アンテナ１６の配置については、図１に示した例の他、図４に示すように、素子基板４の角部Ｋで９０°屈曲させ、２辺に沿って配置してもよい。あるいは、図５に示すように、１辺に沿って延在させた後、素子基板４の角部Ｋで１８０°屈曲させて再度戻るように多重配置としてもよい。さらには、図６に示すように、３辺以上に沿って配置してもよい。ただし図６の場合、本実施の形態のように、アンテナ１６を全て走査線１０と同層で形成すると、表示部８の外側でＦＰＣ２上のゲートドライバーＩＣ１３に向けて延びる走査線１０と短絡してしまい、問題が生じる。そこで、走査線１０が通っている個所（図６における符号Ｇの個所）では、図７に示すように、画素電極２９と同層の中継導電体５６を介してデータ線９と同層でアンテナ１６ｄを形成する構成とし、下を走る走査線１０と短絡させない工夫が必要となる。アンテナ１６の長さがさらに必要とされる場合には、アンテナ１６を表示部８の外側で複数回周回させるように配置してもよい。
【００５０】
［第２の実施の形態］
以下、本発明の第２の実施の形態を図８、図９を参照して説明する。
本実施の形態の液晶表示装置の基本構成は第１の実施の形態と同様であり、ＩＣチップの実装位置とそれに伴うアンテナの構成が異なるのみである。
図８は本実施の形態の液晶表示装置の平面図である。図９は液晶表示装置の断面構造を示す図であって、図８のＣ−Ｃ’線に沿う断面図である。図８、図９において図１〜図３と共通の構成要素には同一の符号を付し、詳細な説明は省略する。
【００５１】
第１の実施の形態では、ＩＣチップ１５が液晶セル１の素子基板４上に実装され、アンテナ１６全体が素子基板４上に形成されていた。これに対して、本実施の形態では、図８に示すように、ＩＣチップ１５がＦＰＣ２（外部基板）上に実装されており、素子基板４上に形成された第１のアンテナ１６ａとＦＰＣ２上に設けられた第２のアンテナ１６ｂとで、全体としてのアンテナ１６が構成されている。
【００５２】
断面構造については、図９に示すように、素子基板４上の第１のアンテナ１６ａが、第１の実施の形態と同様、走査線１０と同層で形成されている。層間絶縁膜２７およびゲート絶縁膜２１には第１のアンテナ１６ａの上面に達するコンタクトホール５３が形成され、画素電極２９と同層の中継導電体５４がコンタクトホール５３の内面を覆い、さらに層間絶縁膜２７上にまで形成されている。これにより、中継導電体５４と第１のアンテナ１６ａとは、コンタクトホール５３の部分で電気的に接続されている。一方、ＦＰＣ２上には、通常の他のＦＰＣ配線と同様、銅配線からなる第２のアンテナ１６ｂが設けられている。第１のアンテナ１６ａ上の中継導電体５４と第２のアンテナ１６ｂとは異方性導電膜６５を介して電気的に接続されている。また、第２のアンテナ１６ｂの端部上には異方性導電膜５５を介してＩＣチップ１５のバンプ５２が電気的に接続されている。また、ＩＣチップ１５にＦＰＣ２上の銅配線を適宜接続し、この配線を通じて電源電圧や信号を入力させる構成としてもよい。
【００５３】
本実施の形態の液晶表示装置においても、市販のＩＣタグを液晶表示装置に貼り付ける場合のようにアンテナを貼付するスペースを特別設ける必要がなく、アンテナの貼付作業に要する時間や手間を削減することができる。また、アンテナ１６ａや中継導電体５４を他の導電体と同層、同一材料、同一工程で形成するので、工程数が増え、製造プロセスが複雑にならない、といった第１の実施の形態と同様の効果を得ることができる。
【００５４】
さらに本実施の形態の場合、液晶セル１が小型であり、素子基板４上に形成する第１のアンテナ１６ａの長さが充分取れないような場合であっても、アンテナ１６全体としての長さが足りない分をＦＰＣ２上の第２のアンテナ１６ｂで適宜補うことができ、所望の性能のアンテナを得ることができる。これにより、アンテナの設計の自由度を高めることができる。また、ＦＰＣ２にはもともと多くの配線が設けられているので、第２のアンテナ１６ｂとなる配線をＦＰＣ２に追加することはそれ程負担とならない。
【００５５】
また、液晶セルの素子基板にＦＰＣが接続され、このＦＰＣがさらに種々の電子部品が搭載されたプリント配線板に接続される場合がある。この構成において、ＩＣチップをＦＰＣではなく、プリント配線板の方に実装してもよい。その場合、素子基板上の第１のアンテナ、ＦＰＣ上の第２のアンテナに加えて、プリント配線板上の配線（導電体）を第３のアンテナとし、全体としてのアンテナを構成してもよい。
【００５６】
［第３の実施の形態］
以下、本発明の第３の実施の形態を図１０を参照して説明する。
第１、第２の実施の形態の表示装置は、画素スイッチング素子としてアモルファスシリコンＴＦＴを用いた液晶表示装置であったのに対し、本実施の形態の表示装置は、画素スイッチング素子として多結晶、もしくは単結晶シリコンＴＦＴを用いた液晶表示装置である。
図１０は本実施の形態の液晶表示装置の平面図である。
【００５７】
アモルファスシリコンＴＦＴは、トランジスタとしての駆動能力の関係から、無線通信デバイスを構成するＩＣチップ内の通信用集積回路を構成することはできない。これに対して、多結晶シリコンＴＦＴ、もしくは単結晶シリコンＴＦＴは、十分な駆動能力を持つことから、通信用集積回路を構成することができる。そこで、本実施の形態では、図１０に示すように、素子基板４上に、複数の多結晶シリコンＴＦＴや単結晶シリコンＴＦＴを用いて通信用集積回路７１（通信用集積回路部）を直接作り込んでいる。多結晶、単結晶シリコンＴＦＴを用いる場合、ＮチャネルＴＦＴ、また必要に応じてＰチャネルＴＦＴを含むデータ線駆動回路７２や走査線駆動回路７３を素子基板４上に作り込むことができる。したがって、通信用集積回路７１を構成するＴＦＴを、データ線駆動回路７２や走査線駆動回路７３を構成するＴＦＴと同一工程で同時に形成することができる。アンテナ１６については、素子基板４を構成する導電体であれば何を用いてもよく、例えばデータ線９を構成するアルミニウムを用い、データ線９と同時に形成することができる。その他、走査線１０、容量電極、遮光層、シールド層、画素電極等を構成する導電体を用いてもよい。
【００５８】
本実施の形態の液晶表示装置においても、市販のＩＣタグを液晶表示装置に貼り付ける場合のようにアンテナを貼付するスペースを特別用意する必要がなく、アンテナの貼付作業に要する時間や手間を削減することができる。また、アンテナ１６を他の導電体と同層、同一材料、同一工程で形成するので、工程数が増え、製造プロセスが複雑にならない、といった上記実施の形態と同様の効果を得ることができる。さらに本実施の形態の場合、液晶セルとして完成する前段階の素子基板４が完成した状態で無線通信デバイス１４が基板上に形成されるので、基板状態で既に情報を書き込むことができ、製品のトレーサビリティーの点で非常に優れたものとなる。
【００５９】
［第４の実施の形態］
以下、本発明の第４の実施の形態を図１１、図１２を参照して説明する。
第１〜第３の実施の形態の表示装置は、画素スイッチング素子としてＴＦＴを用いた液晶表示装置であったのに対し、本実施の形態の表示装置は、画素スイッチング素子としてＴＦＤ（Ｔｈｉｎ  Ｆｉｌｍ  Ｄｉｏｄｅ）を用いた液晶表示装置である。
図１１は本実施の形態の液晶表示装置の平面図である。図１２は液晶表示装置の断面構造を示す図であって、図１１のＤ−Ｄ’線に沿う断面図である。
【００６０】
本実施の形態の液晶表示装置の概略構成は、第１の実施の形態とほぼ同様であり、図１１に示すように、液晶セル１と２枚のＦＰＣ２、３とを有している。液晶セル１は、互いに対向配置された素子基板４と対向基板５とから構成され、これら素子基板４と対向基板５のそれぞれに対してＦＰＣ２、３が貼付されている。各ＦＰＣ２、３上にはデータドライバーＩＣ１２、ゲートドライバーＩＣ１３がそれぞれ搭載されている。図１１における液晶セル１の上辺に沿って無線通信デバイス１４が設けられている。本実施の形態において、ＩＣチップ１５は素子基板４の左上の角部に実装され、アンテナ１６は素子基板４の上辺に沿って形成されている。
【００６１】
液晶表示装置の断面構造は、図１２に示すように、素子基板４をなすガラス基板１８の内面（液晶層５０側の面）にＴａＯｘ（タンタル酸化物）からなる下地絶縁膜８１が形成され、その上に画素スイッチング用のＴＦＤ８２が形成されている。透明導電膜からなる画素電極８３がＴＦＤ８２に接続され、最表面には配向膜３０が形成されている。一方、対向基板５をなすガラス基板３２の内面（液晶層５０側の面）には、対向電極８４と遮光膜７が形成され、最表面には配向膜３５が形成されている。そして、素子基板４の下地絶縁膜８１上にはアンテナ１６が形成されている。アンテナ１６の形成位置は対向基板５の遮光膜７よりも外側、すなわち表示部８よりも外側である。アンテナ１６はＴＦＤ８２のＴａ電極８５と同層で形成されている。すなわち、アンテナ１６とＴａ電極８５とは同一材料からなり、製造プロセスの同一工程で形成される。また、アンテナ１６よりも上層側（対向基板５側）にある対向電極８４や遮光膜７等の導電膜はアンテナ１６と平面的に重ならないように配置されている。
【００６２】
本実施の形態の液晶表示装置においても、市販のＩＣタグを液晶表示装置に貼り付ける場合のようにアンテナを貼付するスペースを特別用意する必要がなく、アンテナの貼付作業に要する時間や手間を削減することができる。また、アンテナを他の導電体と同層、同一材料、同一工程で形成するので、工程数が増え、製造プロセスが複雑にならない、といった上記実施の形態と同様の効果を得ることができる。
【００６３】
［電子機器］
以下、本発明の電子機器の一実施の形態を図１３を参照して説明する。
図１３は、上記実施の形態の液晶表示装置を用いた電子機器の一例であって、リスト型のリーダー／ライター（電子機器）１０１である。これを腕時計のように手首に付けたり、手のひらに付けたりして使用することができる。例えばデパートやスーパーなどで商品に無線ＩＣタグが付いている場合、これに書かれた情報を読みたい場合に商品に手を近付けると、リーダー／ライター１０１内の無線通信デバイス１０３が無線ＩＣタグの情報を読み取る。そして、読み取った情報が液晶ディスプレイ１０５に表示される。あるいは、これとは逆に、商品に付いた無線ＩＣタグの情報を書き換えることもできる。
【００６４】
本実施の形態のリーダー／ライター１０１は、手に装着できる形態となっているため、手と指が自由に動かせる。そのため、商品を手に取ったりする際に支障がなく、使い勝手の良いものとなる。また、ライター機能を用いて個人のプライバシーの流出を防止することができる。例えば無線ＩＣタグをそのまま捨てると、捨てたものからその人の買った品物や嗜好がわかってしまう。このような場合、ライター機能を用いて無線ＩＣタグを捨てる前に情報を消したり、書き換えたりすればよい。さらに、本実施の形態のリーダー／ライター１０１に時計機能を備えておき、リーダー／ライターとしての機能を使わないときに液晶ディスプレイ１０３に時間を表示するようにすれば、腕時計としても用いることができる。その他の実施形態として、パソコン、ＰＤＡ、携帯ＴＶ、携帯電話、デジタルカメラ、自動車、測定機器、テレビジョン等に本発明を適用することができる。
【００６５】
さらに、上記実施の形態の液晶表示装置を備えた電子機器の別の実施の形態を図１５を参照して説明する。
図１５は、パソコンなどの携帯型情報処理装置の一例を示した斜視図である。図１５において、符号１２００は情報処理装置（電子機器）、符号１２０２はキーボードなどの入力部、符号１２０４は情報処理装置本体、符号１２０６は上記の液晶表示装置を用いた液晶表示部を示している。
【００６６】
上記実施の形態の液晶表示装置は情報処理装置１２００の筐体内に収納されており、液晶表示部１２０６のみが筐体の窓部から露出している。上記実施の形態で説明したように、液晶表示装置上の無線通信デバイス１４は液晶表示部１２０６の外側に配置されているため筐体の中に隠れており、使用者からは直接見えないようになっている。そこで、筐体上の無線通信デバイス１４が配置された個所の近傍には、無線通信デバイス１４が配置されていることを示すマーク９９が設けられている。また、筐体内部の無線通信デバイス１４の手前側には導電体が存在しない構成になっている。無線通信デバイス１４には、上記実施の形態で述べた液晶表示装置としての製品情報に加えて、最終製品である情報処理装置としての製品情報がデータとして書き込まれている。製品情報としては、例えば情報処理装置の製造工場、製造年月日などの製造履歴情報、流通、販売およびリサイクルに関する情報などが挙げられる。
【００６７】
本実施の形態の電子機器においては、液晶表示装置上の無線通信デバイス１４に最終製品である情報処理装置としての製品情報が記憶されているので、情報処理装置個別のＩＣタグが不要となる。そのため、情報処理装置の製造工程においてＩＣタグを貼付する工程が不要となり、手間や時間を削減しコスト低減を図ることができる。さらに、液晶表示部１２０６はもともと使用者から見て正面に配置されており、さらに無線通信デバイス１４が配置された個所にマーク９９が設けられているため、使用者がリーダー／ライターを無線通信デバイス１４に近付けやすい。また、無線通信デバイス１４の手前側には導電体が存在しない構成としたため、導電体によって電波が遮蔽される恐れもない。その結果、本構成によれば、情報の書き込みや読み取りを確実に行うことができ、製造ラインの工程管理、流通管理、販売・在庫管理、ライフサイクル管理などの様々な用途に用いることができる。
【００６８】
さらに、上記実施の形態の液晶表示装置を備えた電子機器の別の実施の形態を図１６および図１７を参照して説明する。
図１６（ａ）は、折り畳み式の携帯電話の一例であって、携帯電話を開いた状態の斜視図である。図１６（ｂ）は、折り畳み式の携帯電話を折り畳んだ状態の斜視図である。
図１６（ａ）、（ｂ）において、符号１３００は携帯電話（電子機器）、符号１３１０は主表示部（一方の表示装置）となる液晶表示装置、１３２０は副表示部（他方の表示装置）となる上記本発明の液晶表示装置を示している。
例えば、主表示部１３１０は、図１６（ａ）に示すように、畳まれる際に内面１３０１となる面に備えられ、副表示部１３２０は、図１６（ｂ）に示すように、畳まれた際に外面１３０２となる面（反対の面）に備えられている。
【００６９】
主表示部１３１０および副表示部１３２０は、携帯電話１３００の筐体内に収納されており、主表示部１３１０および副表示部１３２０の表示面のみが筐体の窓部から露出している。上記実施の形態で説明したように、液晶表示装置上の無線通信デバイス１４は副表示部１３２０の外側に配置されているため筐体の中に隠れており、使用者からは直接見えないようになっている。そこで、筐体上の無線通信デバイス１４が配置された個所の近傍には、無線通信デバイス１４が配置されていることを示すマーク９９が設けられている。
無線通信デバイス１４のアンテナは、副表示部１３２０の外周を複数回周回するように設けられている。
また、無線通信デバイス１４に対して、携帯電話１３００に係わる情報がデータとして書き換えられるように構成されている。
【００７０】
図１７は、上記実施の形態の液晶表示装置を用いた折り畳み式の携帯電話の電気回路を示す概略図である。
携帯電話１３００の電気回路は、図１７に示すように、無線通信デバイス１４のアンテナ１６と、副表示部１３２０と、ダイオード（整流部）１３２１と、コンデンサ（充電部、電源部）１３２２と、主表示部１３１０を含む他の機器１３２３と、から概略構成されている。
アンテナ１６とコンデンサ１３２２との間には、電流の流れを一方向に規制するダイオード１３２１が配置されている。コンデンサ１３２２とアンテナ１６とは、コンデンサ１３２２に蓄えられた電力がアンテナ１６に供給できるように、電気的に接続されている。
コンデンサ１３２２と他の機器１３２３とも、同様に、コンデンサ１３２２に蓄えられた電力が他の機器１３２３に供給できるように、電気的に接続されている。
【００７１】
なお、上述のように、充電部としてコンデンサ１３２２を用いてもよいし、リチウム電池などの繰り返し充電が可能な電池を用いてもよい。
なお、携帯電話１３００の電気回路として、図１７に示したように、アンテナ１６やコンデンサ１３２２と、他の機器１３２３とが同じ回路内に構成されてもよいし、図１８に示すように、アンテナ１６やコンデンサ１３２２と、他の機器１３２３とが別の回路に構成されてもよい。
【００７２】
本実施の形態の携帯電話１３００においては、携帯電話１３００を開いて主表示部１３１０に表示された画像を視認した状態で、副表示部１３２０を他の無線通信デバイスを備えた機器に接近させることにより、無線通信デバイス１４が上記他の無線通信デバイスに対して確実に情報を書き込み、および上記他の無線通信デバイスから情報を読み取ることができる。
つまり、副表示部１３２０は、上記の状態では外側を向き、携帯電話１３００自身の筐体などが、無線通信デバイス１４による上記他の無線通信デバイスへの情報の書き込み、および上記他の無線通信デバイスからの情報の読み取りを遮蔽する恐れがない。
【００７３】
無線通信デバイス１４が上記他の無線通信デバイスに対して書き込んだ情報、および上記他の無線通信デバイスから読み取った情報を、主表示部１３１０に表示させることができる。そのため、携帯電話１３００の向きを変えることなく上記書き込んだ情報、および上記読み取った情報を確認することができ、上記書き込んだ情報、および上記読み取った情報を瞬時に確認することができる。
【００７４】
無線通信デバイス１４のアンテナ１６とコンデンサ１３２２とが電気的に接続されているので、アンテナ１６に向けて電波が放射されると、電磁誘導によりアンテナ１６において誘起された電流をコンデンサ１３２２に蓄えることができる。そのため、外部電源などに接続することなく、携帯電話１３００に電力を供給し、充電させることができる。例えば、携帯電話１３００専用の充電器を用いることなく携帯電話１３００に電力を供給し、充電させることができ、専用の充電器が無いと携帯電話１３００に充電できないといった不都合を解消することができる。
また、アンテナとコンデンサ１３２２との間には、ダイオード１３２１が配置されているので、コンデンサ１３２２には常に同一方向から電流が充電され、効率良く充電される。
【００７５】
無線通信デバイス１４は、コンデンサ１３２２に蓄えられた電力を用いて、自ら電波を放出して、上記他の無線通信デバイスに対して情報を書き込むことができ、および上記他の無線通信デバイスから情報を読み取ることができる。そのため、自ら電波を放出できない上記他の無線通信デバイスに対しても自ら電波を放出して情報を読み書きすることができ、情報を読み書きする対象を拡大することができる。
【００７６】
携帯電話１３００に係わる情報を書き換えることができるため、無線通信デバイス１４には、最新の携帯電話１３００に係わる情報が書き込まれている。また、上記情報は書き換えられるので、無線通信デバイス１４の上記情報を書き込む領域が一杯になる恐れがなく、何回でも上記情報を書換え、更新することができる。
【００７７】
さらに、上記実施の形態の液晶表示装置を備えた電子機器の別の実施の形態を、図１９および図２０を参照して説明する。
図１９は、携帯電話の一例であって、携帯電話を表側から見た斜視図である。図２０は、携帯電話を裏側から見た斜視図である。
図１９および図２０において、符号１３５０は携帯電話（電子機器）、符号１３６０は表示部（表示装置）を示している。
【００７８】
表示部１３６０は、例えば有機ＥＬ表示装置などの透光性を有する表示装置であって、表示部１３６０の一方の面１３６１および他方の面１３６２に画像を表示できる表示装置である。また、表示部１３６０は、携帯電話１３５０の筐体内に収納されており、表示部１３６０の一方の面１３６１のみが筐体の窓部から携帯電話１３５０の表面側に露出し、表示部１３６０の他方の面１３６２のみが筐体の窓部から携帯電話１３５０の裏面側に露出している。
上記実施の形態で説明したように、表示装置上の無線通信デバイス１４は表示部１３６０の外側であって、携帯電話１３６０の表面側を向いた面に配置されているため筐体の中に隠れており、使用者からは直接見えないようになっている。そこで、筐体上の無線通信デバイス１４が配置された個所の近傍には、無線通信デバイス１４が配置されていることを示すマーク９９が設けられている。無線通信デバイス１４のアンテナは、表示部１３６０の外周を複数回周回するように設けられている。
【００７９】
本実施の形態の携帯電話１３５０においては、携帯電話１３５０の裏面側から表示部１３６０に表示された画像を視認した状態で、携帯電話１３５０の表面側を他の無線通信デバイスを備えた機器に接近させることにより、無線通信デバイス１４が上記他の無線通信デバイスに対して確実に情報を書き込み、および上記他の無線通信デバイスから情報を読み取ることができる。
また、無線通信デバイス１４が上記他の無線通信デバイスに対して書き込んだ情報、および上記他の無線通信デバイスから読み取った情報を、裏面側から確認できるように表示部１３６０に表示させることができる。そのため、携帯電話１３６０の向きを変えることなく上記書き込んだ情報、および上記読み取った情報を確認することができ、上記書き込んだ情報、および上記読み取った情報を瞬時に確認することができる。
【００８０】
さらに、上記実施の形態の液晶表示装置を備えた電子機器の別の実施の形態を、図２１を参照して説明する。
図２１は、複合型ＰＤＡ（Ｐｅｒｓｏｎａｌ  Ｄｉｇｉｔａｌ  Ａｓｓｉｓｔａｎｔｓ）などの携帯型情報処理装置の一例を示した斜視図である。
図２１において、符号１４００は複合型ＰＤＡ（電子機器）、符号１４０１は複合型ＰＤＡ本体、符号１４０２は上記の液晶表示装置を用いた液晶表示部を示している。
【００８１】
上記実施の形態の液晶表示装置は複合型ＰＤＡ１４００の筐体内に収納されており、液晶表示部１４０２のみが筐体の窓部から露出している。上記実施の形態で説明したように、液晶表示装置上の無線通信デバイス１４は液晶表示部１４０２の外側に配置されているため筐体の中に隠れており、使用者からは直接見えないようになっている。そこで、筐体上の無線通信デバイス１４が配置された個所の近傍には、無線通信デバイス１４が配置されていることを示すマーク９９が設けられている。無線通信デバイス１４のアンテナは、液晶表示部１４０２の外周を複数回周回するように設けられている。
【００８２】
なお、本発明の技術範囲は上記実施の形態に限定されるものではなく、本発明の趣旨を逸脱しない範囲において種々の変更を加えることが可能である。例えば上記実施の形態ではアクティブマトリクス型の液晶表示装置の例を示したが、単純マトリクス型の液晶表示装置に無線通信デバイスを形成することもできる。さらに、液晶表示装置以外に、プラズマディスプレイパネル（ＰＤＰ）、フィールドエミッションディスプレイ（ＦＥＤ）、蛍光表示管等の表示装置に本発明を適用することも可能である。ＰＤＰの場合は、アドレス電極、バス電極、表示電極などと同一工程でアンテナを形成すればよい。ＦＥＤの場合は、ゲート電極、カソードなどと同一工程でアンテナを形成すればよい。蛍光表示管の場合は、アノードと同一工程でアンテナを形成すればよい。
【図面の簡単な説明】
【００８３】
【図１】本発明の第１実施形態の液晶表示装置の平面図である。
【図２】図１のＡ−Ａ’線に沿う断面図である。
【図３】図１のＢ−Ｂ’線に沿う断面図である。
【図４】アンテナの配置に関する変形例を示す平面図である。
【図５】アンテナの配置に関する他の変形例を示す平面図である。
【図６】アンテナの配置に関するさらに他の変形例を示す平面図である。
【図７】図６の構成における一部の断面図である。
【図８】本発明の第２実施形態の液晶表示装置の平面図である。
【図９】図８のＣ−Ｃ’線に沿う断面図である。
【図１０】本発明の第３実施形態の液晶表示装置の平面図である。
【図１１】本発明の第４実施形態の液晶表示装置の平面図である。
【図１２】図１１のＤ−Ｄ’線に沿う断面図である。
【図１３】本発明の電子機器の一例を示す斜視図である。
【図１４】無線通信デバイスの機能を説明するための図である。
【図１５】本発明の電子機器の別の一例を示す斜視図である。
【図１６】本発明の電子機器のさらに別の一例を示す斜視図である。
【図１７】図１６の電子機器の電気回路と等価な電気回路を示す図である。
【図１８】同、等価な電気回路の別の一例を示す図である。
【図１９】本発明の電子機器のさらに別の一例を示す斜視図である。
【図２０】本発明の電子機器のさらに別の一例を示す斜視図である。
【図２１】本発明の電子機器のさらに別の一例を示す斜視図である。
【符号の説明】
【００８４】
１・・・液晶セル、２、３・・・ＦＰＣ（外部基板）、４・・・素子基板、５・・・対向基板、７・・・遮光膜、８・・・表示部、９・・・データ線（表示部駆動用配線）、１０・・・走査線（表示部駆動用配線）、１４・・・無線通信デバイス、１５・・・ＩＣチップ（通信用集積回路部）、１６、１６ａ、１６ｂ、１６ｄ・・・アンテナ、５４・・・中継導電体、５６・・・メモリー（記録部）、７１・・・通信用集積回路（通信用集積回路部）、１０１・・・リーダー／ライター（電子機器）、１２００・・・情報処理装置（電子機器）、１３００、１３５０・・・携帯電話（電子機器）、１３２１・・・ダイオード（整流部）、１３２２・・・コンデンサ（充電部、電源部）、１３２３・・・他の機器、１３６１・・・一方の面、１３６２・・・他方の面、１４００・・・複合型ＰＤＡ（電子機器）  
【図１】
2006201800.tif 000003
【図２】
2006201800.tif 000004
【図３】
2006201800.tif 000005
【図４】
2006201800.tif 000006
【図５】
2006201800.tif 000007
【図６】
2006201800.tif 000008
【図７】
2006201800.tif 000009
【図８】
2006201800.tif 000010
【図９】
2006201800.tif 000011
【図１０】
2006201800.tif 000012
【図１１】
2006201800.tif 000013
【図１２】
2006201800.tif 000014
【図１３】
2006201800.tif 000015
【図１４】
2006201800.tif 000016
【図１５】
2006201800.tif 000017
【図１６】
2006201800.tif 000018
【図１７】
2006201800.tif 000019
【図１８】
2006201800.tif 000020
【図１９】
2006201800.tif 000021
【図２０】
2006201800.tif 000022
【図２１】
2006201800.tif 000023